(57)【要約】【課題】  ハゼ式折板屋根の化粧面戸において、タイトフレームの近接取付時に左右いずれの側に突出部が生じて干渉するとしても、その干渉を従来に無い方法で回避することにある。【解決手段】  軒先側化粧面戸１０は、タイトフレームの台形山形状に合致した面戸本体２０の上部に、タイトフレーム頂部に形成される段差に対応して面戸本体２０の上部の形状を変形させる変形機構３０を備える。この変形機構３０は、面戸本体２０の上部に逆Ｔ字形のスリット３１を備えてなるものである。なお、変形機構３０は、スリット３１以外にも、溝３３又は破線３５或いはこれらスリット３１、溝３３、破線３５の組み合わせであってもよい。【選択図】  図２
2019120101.tif 000002
【特許請求の範囲】
【請求項１】
ハゼ式折板屋根の軒先側にタイトフレームを介して取り付けられる軒先側化粧面戸であって、
タイトフレームの台形山形状に合致した面戸本体の上部に、タイトフレーム頂部に形成される段差に対応して面戸本体の上部の形状を変形させる変形機構を備えたことを特徴とする軒先側化粧面戸。
【請求項２】
変形機構は、面戸本体の上部の一部を折曲又は切断によって変形させることを特徴とする請求項１記載の軒先側化粧面戸。
【請求項３】
面戸本体の上部に折曲又は切断用のスリット、溝又は破線或いはこれらの組み合わせを設けたことを特徴とする請求項２記載の軒先側化粧面戸。
【請求項４】
面戸本体の上部に逆Ｔ字形のスリットを備えたことを特徴とする請求項３記載の軒先側化粧面戸。
【請求項５】
請求項１から４のいずれかに記載された軒先側化粧面戸を備えたことを特徴とするハゼ式折板屋根。
【請求項６】
ハゼ式折板屋根の軒先側にタイトフレームを介して軒先側化粧面戸を取り付ける軒先側化粧面戸の取付構造であって、
タイトフレームの台形山形状に合致した面戸本体の上部に面戸本体の上部の形状を変形させる変形機構を備えることにより、タイトフレーム頂部に形成される段差に対応できることを特徴とする軒先側化粧面戸の取付構造。
【請求項７】
請求項６記載の軒先側化粧面戸の取付構造を用いたハゼ式折板屋根の取付構造。
【発明の詳細な説明】
【技術分野】
【０００１】
本願発明は、ハゼ式折板屋根の軒先側に用いられる化粧面戸（軒先側化粧面戸）に関するものである。
【背景技術】
【０００２】
折板屋根において、建物の軒先側に通常は化粧用の「面戸」と呼ばれる屋根や壁と同様な鋼板を加工した部材を用いる（特許文献１，２など）。
また、屋根下の室内においても、壁と屋根との接合部において、天井を使わない場合などは、山谷の山部を塞ぐため同じ化粧用の面戸を用いる。
【０００３】
このような面戸は、屋根を梁等に接合するタイトフレームに近接して取り付けることが多い（特許文献３〜６など）。
【先行技術文献】
【特許文献】
【０００４】
【特許文献１】実開昭５９−１０４１３号公報
【特許文献２】実開昭５４−６１４２１号公報
【特許文献３】実開昭５６−１６２７３６号公報
【特許文献４】実開昭５２−２００２２号公報
【特許文献５】実開昭４８−９５４２４号公報
【特許文献６】実開昭４８−８９５１９号公報
【発明の概要】
【発明が解決しようとする課題】
【０００５】
折板屋根には諸々の方式があり、最も普及しているとされるハゼ式折板屋根用のタイトフレームは、一般的にそのハゼの結合部の左右どちらかに接合部分が突出している。このため、このようなハゼ式折板屋根用タイトフレームに近接して面戸を取り付ける場合に、面戸を当該タイトフレームに密着させると、図１（１）に図示するように、面戸の一部が干渉してしまう。
【０００６】
図１（１）では、面戸の右側が干渉するので、図１（２）の左図に図示するような面戸の右側に切り欠きを入れて（カットし）、その干渉を回避する必要があった。もし、図１（１）のタイトフレームに対して図示する面戸とは反対側に面戸を取り付ける必要がある場合には、面戸の左側が干渉するので、図１（２）の右図に図示するような面戸の左側に切り欠きを入れて（カットし）、その干渉を回避する必要がある。
【０００７】
このように、ハゼ式折板屋根とタイトフレームの構造上、面戸に生じるタイトフレームとの突出部を避けるための切り欠きは左右別々に対応する必要があり、販売・在庫・施工管理の面で非常に煩雑になる問題があった。
【０００８】
そこで、ハゼ式折板屋根の化粧面戸において、タイトフレームの近接取付時に左右いずれの側に突出部が生じて干渉するとしても、その干渉を従来に無い方法で回避することを目的として、本願発明者は鋭意試験・研究を行い、本願発明を完成するに至った。
【課題を解決するための手段】
【０００９】
上記目的を達成するために、本願発明の第１の発明は、ハゼ式折板屋根の軒先側にタイトフレームを介して取り付けられる軒先側化粧面戸であって、タイトフレームの台形山形状に合致した面戸本体の上部に、タイトフレーム頂部に形成される段差に対応して面戸本体の上部の形状を変形させる変形機構を備えたことを特徴とするものである。
第２の発明は、変形機構が、面戸本体の上部の一部を折曲又は切断によって変形させることを特徴とする同軒先側化粧面戸である。
第３の発明は、面戸本体の上部に折曲又は切断用のスリット、溝又は破線或いはこれらの組み合わせを設けたことを特徴とする同軒先側化粧面戸である。
第４の発明は、面戸本体の上部に逆Ｔ字形のスリットを備えたことを特徴とする同軒先側化粧面戸である。
第５の発明は、上記第１〜第４の発明に係る軒先側化粧面戸を備えたことを特徴とするハゼ式折板屋根である。
第６の発明は、ハゼ式折板屋根の軒先側にタイトフレームを介して軒先側化粧面戸を取り付ける軒先側化粧面戸の取付構造であって、タイトフレームの台形山形状に合致した面戸本体の上部に面戸本体の上部の形状を変形させる変形機構を備えることにより、タイトフレーム頂部に形成される段差に対応できることを特徴とするものである。
第７の発明は、上記第６の発明に係る軒先側化粧面戸の取付構造を用いたハゼ式折板屋根の取付構造である。
【発明の効果】
【００１０】
上記した本願発明によれば、軒先側化粧面戸がタイトフレームの台形山形状に合致した面戸本体の上部に、タイトフレーム頂部に形成される段差に対応して面戸本体の上部の形状を変形させる変形機構を備えたことで、タイトフレームとの干渉を避けるための切り欠きを左右別々に対応する必要が無く、左右共通の１の化粧面戸で対応できる。
【図面の簡単な説明】
【００１１】
【図１】従来技術を説明する説明図。
【図２】本願発明に係る軒先側化粧面戸を説明する説明図（１）。
【図３】本願発明に係る軒先側化粧面戸を説明する説明図（２）。
【図４】本願発明に係る軒先側化粧面戸を説明する説明図（３）。
【図５】本願発明に係る軒先側化粧面戸を説明する説明図（４）。
【発明を実施するための形態】
【００１２】
本願発明の実施形態を図面に基づいて説明する。
図２は、本願発明に係る軒先側化粧面戸の構造を図示した説明図である。
図示するように、軒先側化粧面戸１０は、タイトフレームの台形山形状に合致した面戸本体２０の上部に、タイトフレーム頂部に形成される段差に対応して面戸本体２０の上部の形状を変形させる変形機構３０を備える。
この変形機構３０は、面戸本体２０の上部に逆Ｔ字形のスリット３１を備えてなるものである。但し、変形機構３０は、図示する逆Ｔ字形スリット３１に限られるものではない。
なお、面戸本体２０の両側に有する爪２１，２１は、図示省略するタイトフレームの脚部に係止するように折曲され、同じくふち２２，２２もタイトフレームの脚部に当接するように折曲されている。
【００１３】
図３は、本願発明に係る軒先側化粧面戸の施工手順を図示した説明図である。
図３（Ａ）は、ハゼ式折板屋根用のタイトフレーム５０に軒先側化粧面戸１０を取り付ける前の状態を図示したものである。図示するように、タイトフレーム５０は、その頂部に段差５１を有している。
【００１４】
まず、図３（Ｂ）に図示するように、タイトフレーム５０の側面に軒先側化粧面戸１０を差し込む。このとき、面戸本体２０はタイトフレーム５０の側面台形山形状に合致した形状となっているので、面戸本体２０から折曲するふち２２，２２がタイトフレーム５０の脚部５２，５２に当接し、位置決めがなされる。
次に、図３（Ｃ）に図示するように、面戸本体２０から折曲する爪２１，２１をさらに折り曲げて、タイトフレーム５０の脚部５２，５２に面戸本体２０を係止する。
【００１５】
そして、図３（Ｄ）に図示するように、タイトフレーム５０の頂部にある段差５１から軒先側化粧面戸１０の突出している突出部（干渉部）を無くしている（変形機構３０）。すなわち、面戸本体２０の上部に設けられた逆Ｔ字形のスリット３１によって、突出部３２を反タイトフレーム５０側へ折り曲げることができ、段差５１から突出している部分が無くなる。また、タイトフレーム５０の段差５１が図示とは逆側にあったとしても、軒先側化粧面戸１０の突出している側の突出部３２を折り曲げればよいので、１の軒先側化粧面戸１０でどちらのタイトフレームについても問題無く対応できる。
【００１６】
なお、突出部３２は、場合によってはタイトフレーム５０側へ折り曲げてもよいし、折り曲げずに切断してもよい。
また、変形機構３０は、上記した逆Ｔ字形のスリット３１の形状に限定されるものではない。突出部３２が折曲又は切断可能になるように、図示とは異なるスリット形状にしてもよい。
さらに、スリットではなく、図４に図示するような折曲又は切断可能な溝（凹み）３３、又は、図５に図示するような折曲又は切断可能な破線（連続する穴）３５のようなもの或いはこれらスリット３１、溝３３、破線３５の組み合わせであってもよい。なお、形成する溝３３や破線３５或いはこれらの組み合わせが図示する逆Ｔ字形に限定されないのは、スリット３１の場合と同様である。
【００１７】
こうして、図３（Ｅ）に図示するように、タイトフレーム５０の頂部にある段差５１に吊子６０などの接続部材を取り付ける場合でも軒先側化粧面戸１０が干渉すること無く、確実にハゼ式折板屋根の施工作業を進めることができる。
【産業上の利用可能性】
【００１８】
本願発明は、ハゼ式折板屋根の軒先側化粧面戸として幅広く利用できるものである。
【符号の説明】
【００１９】
１０  軒先側化粧面戸
２０  面戸本体
２１  爪
２２  ふち
３０  変形機構
３１  スリット
３２  突出部
３３  溝
３５  破線
５０  タイトフレーム
５１  段差
５２  脚部
６０  吊子
【図１】
2019120101.tif 000003
【図２】
2019120101.tif 000004
【図３】
2019120101.tif 000005
【図４】
2019120101.tif 000006
【図５】
2019120101.tif 000007